(57)【要約】【課題】ディスク状記録媒体に対する記録および再生の性能の向上を図る上で有利なディスク装置を提供する。【解決手段】２つの磁石２６１０とメインガイド軸２６０６との間に作用する吸引力により、各軸受部２６０２にはメインガイド軸２６０６とサブガイド軸２６０８とが延在する平面上において前記往復直線移動する方向と直交し、かつ、サブガイド軸２６０８に近づく方向への付勢力が作用し、サブガイド軸２６０８から離れた側に位置する軸受孔２６０３の壁面箇所２６０３Ａとメインガイド軸２６０６の外周面とが接触する。各軸受部２６０２とメインガイド軸２６０６の間で、前記仮想平面上における、あるいは、前記仮想平面と平行する面上におけるがたつきが無い状態とされる。【選択図】        図９
2007052867.tif 000002
【特許請求の範囲】
【請求項１】
ディスク状記録媒体に対して情報の記録および／または再生を行なう光ピックアップと、
前記光ピックアップが搭載されたスライド部材と、
前記ディスク状記録媒体と平行する仮想平面上において前記スライド部材を前記光ディスクの半径方向に沿って往復直線移動可能に案内する案内機構と、
前記スライド部材を往復直線移動させる駆動機構とを備え、
前記案内機構は、前記仮想平面と平行する面上で前記往復直線移動する方向と直交する方向に間隔をおいた前記スライド部材の箇所に設けられた軸受部および係合部と、前記往復直線移動する方向と平行な方向に延在し前記軸受部にスライド可能に挿通されたメインガイド軸と、前記メインガイド軸と平行な方向に延在し前記係合部にスライド可能に係合されたサブガイド軸とを有するディスク装置であって、
前記メインガイド軸は磁性体で形成され、
前記軸受部に、前記メインガイド軸に対して前記メインガイド軸と前記サブガイド軸とを結ぶ方向に吸引力を発揮する磁石が埋設されている、
ことを特徴とするディスク装置。
【請求項２】
前記磁石は、前記サブガイド軸側に位置する前記軸受部の箇所に埋設されていることを特徴とする請求項１記載のディスク装置。
【請求項３】
前記磁石は、前記サブガイド軸と反対側に位置する前記軸受部の箇所に埋設されていることを特徴とする請求項１記載のディスク装置。
【請求項４】
前記軸受部は、前記往復直線移動される方向に間隔をおいて２つ設けられ、一方の軸受部において、前記磁石は、前記サブガイド軸側に位置する前記軸受部の箇所に埋設され、他方の軸受部において、前記磁石は、前記サブガイド軸と反対側に位置する前記軸受部の箇所に埋設されていることを特徴とする請求項１記載のディスク装置。
【請求項５】
前記軸受部は、前記仮想平面と平行する面上で前記往復直線移動する方向と直交する方向における前記スライド部材の両端のうちの一端に設けられ、前記係合部は、前記スライド部材の両端のうちの他端に設けられていることを特徴とする請求項１記載のディスク装置。
【請求項６】
前記係合部は、前記仮想平面と直交する方向に間隔をおいて対向し前記サブガイド軸を挟み前記サブガイド軸に摺動可能に接触する一対の係合壁で構成され、前記サブガイド軸は磁性体で形成され、前記２つの係合壁の一方に、前記サブガイド軸に対して前記仮想平面と直交する方向に吸引力を発揮する磁石が埋設されていることを特徴とする請求項１記載のディスク装置。
【請求項７】
前記ディスク状記録媒体は光ディスク、光磁気ディスクまたは磁気ディスクであることを特徴とする請求項１記載のディスク装置。
【発明の詳細な説明】
【技術分野】
【０００１】
本発明はディスク状記録媒体に対して記録および／または再生を行なうディスク装置に関する。
【背景技術】
【０００２】
ＣＤやＤＶＤなどの光ディスク、ＭＤなどの光磁気ディスク、ＦＤなどの磁気ディスクなどその他のディスク状記録媒体に対して情報の記録および／または再生を行なうディスク装置が提供されている。
例えば光ディスクを用いるディスク装置においては、スピンドルモータの回転軸に取着されたターンテーブル上に光ディスクを装着して回転駆動するとともに、光ピックアップによって光ディスクの記録面に出射光を当てるとともに、前記記録面からの反射光を検出するようになっている。
光ピックアップはスライド部材に搭載されており、該スライド部材は案内機構によって光ディスクの半径方向に往復直線移動されるように構成されている。そして、光ピックアップを半径方向に移動させつつ、前記記録面に対して情報信号の記録および／または再生を行なうようにしている。
【０００３】
前記案内機構としては、光ディスクと平行する仮想平面と平行する面上で前記往復直線移動する方向と直交する方向に間隔をおいた前記スライド部材の箇所に設けられた軸受部および係合部と、前記軸受部にスライド可能に挿通されたメインガイド軸と、前記係合部にスライド可能に係合されたサブガイド軸とを有するものが提供されている。
そして、このような案内機構では、スライド部材の移動を円滑に行なわせるため、前記係合部とサブガイド軸の周面との間に若干の隙間が形成されている。
そのため、この隙間分だけスライド部材および光ピックアップがフォーカス方向（光ディスクの厚さ方向）にがたつき、これにより光ピックアップのフォーカス方向の位置が不安定になって情報の記録および再生の性能低下を招くおそれがある。
このような不具合を解消するため、前記係合部にフォーカス方向でサブガイド軸に圧接する弾性押圧部材を取付け、この弾性押圧部材によって係合部をフォーカス方向に向けて付勢することで、前記がたつきを防止するディスク装置が提案されている（例えば特許文献１参照）。
【特許文献１】特開２００２−１１７６３４号公報
【発明の開示】
【発明が解決しようとする課題】
【０００４】
しかしながらこのような従来装置でも、スライド部材の移動を円滑に行なわせるため、前記軸受部とメインガイド軸の間に隙間が確保されており、この隙間に起因したフォーカス方向と直交する方向のがたつきについては特に考慮されていない。
このため、前記スライド部材がメインガイド軸に沿って移動しある位置で停止した瞬間、前記隙間分だけスライド部材がフォーカス方向と直交する平面内で揺動し、これにより光ピックアップのトラッキング方向（光ディスクの半径方向）およびタンジェンシャル方向（トラッキング方向と直交する方向）の位置が不安定になって情報の記録および再生の性能の向上を図る上で不利となる。
特に近年の光ディスクの記録密度の高密度化に伴い、光ディスクの記録面に形成される光スポットの径はより小さくなる傾向にあり、光ピックアップのフォーカス方向、トラッキング方向およびタンジェンシャル方向のそれぞれのがたつきが情報の記録および再生の性能に及ぼす影響がより大きくなってきている。
また、ディスク装置がノート型パーソナルコンピュータや撮像装置などのポータブル機器に組み込まれた場合、ディスク装置の姿勢や動きによって光ピックアップには種々の方向からの力が作用するため、光ピックアップのフォーカス方向、トラッキング方向およびタンジェンシャル方向のそれぞれのがたつきがあると、情報の記録および再生の性能の向上を図る上で不利となる。
本発明はこのような事情に鑑みなされたものであり、本発明の目的はピックアップのがたつきをより効果的に防止でき、ディスク状記録媒体に対する記録および再生の性能の向上を図る上で有利なディスク装置を提供することにある。
【課題を解決するための手段】
【０００５】
上述の目的を達成するため、本発明は、ディスク状記録媒体に対して情報の記録および／または再生を行なう光ピックアップと、前記光ピックアップが搭載されたスライド部材と、前記ディスク状記録媒体と平行する仮想平面上において前記スライド部材を前記光ディスクの半径方向に沿って往復直線移動可能に案内する案内機構と、前記スライド部材を往復直線移動させる駆動機構とを備え、前記案内機構は、前記仮想平面と平行する面上で前記往復直線移動する方向と直交する方向に間隔をおいた前記スライド部材の箇所に設けられた軸受部および係合部と、前記往復直線移動する方向と平行な方向に延在し前記軸受部にスライド可能に挿通されたメインガイド軸と、前記メインガイド軸と平行な方向に延在し前記係合部にスライド可能に係合されたサブガイド軸とを有するディスク装置であって、前記メインガイド軸は磁性体で形成され、前記軸受部に、前記メインガイド軸に対して前記メインガイド軸と前記サブガイド軸とを結ぶ方向に吸引力を発揮する磁石が埋設されていることを特徴とする。
【発明の効果】
【０００６】
本発明によれば、磁石とメインガイド軸との間に作用する吸引力により、サブガイド軸から離れた側に位置する軸受け部箇所またはサブガイド軸側に位置する軸受け部箇所がメインガイド軸の外周面に接触する。
したがって、スライド部材は、ディスク状記録媒体と平行する仮想平面上における、あるいは、前記仮想平面と平行する面上におけるがたつきが無い状態とされる。
したがって、光ピックアップは、トラッキング方向あるいはフォーカス方向の位置が安定され、ディスク状記録媒体に対する記録および再生の性能の向上を図る上で有利となる。
【発明を実施するための最良の形態】
【０００７】
（第１の実施の形態）
次に本発明の第１の実施の形態について図面を参照して説明する。
図１は第１の実施の形態のディスク装置が組み込まれた撮像装置を斜め前方から見た斜視図、図２は図１の撮像装置を斜め後方から見た斜視図、図３は図１の撮像装置の開閉蓋が開放された状態を示す斜視図である。
図１乃至図３に示すように、撮像装置１０はビデオカメラでありケース１００２を有している。
ケース１００２は前後方向の長さと、長さより小さい寸法の高さと、高さより小さい寸法の幅を有している。なお、本明細書において左右は、撮像装置１０を前方から見た状態でいうものとし、また、被写体側を前方といい、撮像素子側を後方という。
ケース１００２の前面上部には撮影レンズを保持する鏡筒１００４が設けられ、前面下部にはマイク１００６が設けられている。ケース１００２の後面上部には撮像された被写体像などを視認するためのビューファインダー装置１００８が設けられている。
ケース１００２の右側面には、撮像された被写体像などを視認するためのディスプレイ１０１０がヒンジを介して開閉可能に設けられ、ケース１００２の上面および左側面後部には撮影開始／停止ボタン１０１２、ズーム操作ボタン１０１４、撮影モード切り換えダイヤル１０１６などの操作手段が設けられている。
ケース１００２の内部には、不図示の撮像素子、撮像信号処理回路、サーボ回路などが設けられ、該撮像素子は、前記撮影レンズの光路上に配設され、撮影レンズによって結像された被写体像を撮像して撮像信号を生成するように構成され、撮像信号処理回路は前記撮像信号を処理することにより画像情報を生成するように構成されている。
また、サーボ回路は後述する光ピックアップ２４から供給されるＲＦ信号、フォーカスエラー信号およびトラッキングエラー信号に基づいて光ピックアップ２４のサーボ制御を行なうとともに、スピンドルモータ２２（図４参照）の回転のサーボ制御を行う。
【０００８】
図４は光ディスク２が装着された状態のディスク装置２０の斜視図、図５はディスク装置２０の平面図、図６はディスク装置２０の底面図である。
ケース１００２の内部には、光ディスク２に対して前記画像情報を含む情報の記録および再生を行なう本発明に係るディスク装置２０が組み込まれている。
ディスク装置２０は、図４乃至図６に示すように、スピンドルモータ２２、光ピックアップ２４、スライド部材２６、案内機構２８、駆動機構３０と、それらを収容するケースとなるブロック３２などを備えている。
スライド部材２６とブロック３２は共に合成樹脂製である。
スピンドルモータ２２はブロック３２の一側に取着され、スピンドルモータ２２に隣接するブロック３２の箇所に切り欠き３２０４が設けられている。
スピンドルモータ２２の回転軸にはターンテーブル２２０２が設けられ、ターンテーブル２２０２は、ブロック３２の壁面３２０２から突出している。
光ディスク２は、ターンテーブル２２０２上に装着され回転駆動されるように構成されており、本実施の形態では、ターンテーブル２２０２に装着された光ディスク２の記録面が壁面３２０２とほぼ平行した状態となるように配設されている。
光ピックアップ２４は、レーザー半導体からなる光源、光源から出射される出射光を光ディスク２の記録面に照射するとともに記録面からの反射光が入射される対物レンズ２４０２、対物レンズ２４０２によって収束された反射光を検出する検出器、前記検出器から供給される検出信号に基づいてＲＦ信号、フォーカスエラー信号、トラッキングエラー信号などを生成し前記サーボ回路に供給する信号処理回路、前記サーボ回路によるサーボ制御によって対物レンズ２４０２をフォーカス方向およびトラッキング方向に動かすアクチュエータなどを含んでいる。
【０００９】
図５に示すように、光ピックアップ２４はスライド部材２６に搭載され、このスライド部材２６と案内機構２８は切り欠き３２０４内に配設されている。
案内機構２８は、ターンテーブル２２０２に装着された光ディスク２と平行する仮想平面上においてスライド部材２６を光ディスク２の半径方向に往復直線移動可能に支持している。
図５、図６に示すように、前記仮想平面と平行する面上で前記往復直線移動する方向と直交する方向におけるスライド部材２６の両端のうちの一端には、前記往復直線移動する方向に間隔をおいて２つの軸受部２６０２が設けられ、スライド部材２６の両端のうちの他端に係合部２６０４が設けられている。
前記スライド部材２６の両端を通るようにメインガイド軸２６０６とサブガイド軸２６０８とが前記往復直線移動する方向に延在して配設され、これらメインガイド軸２６０６の両端とサブガイド軸２６０８の両端はブロック３２に取着されている。すなわち、メインガイド軸２６０６とサブガイド軸２６０８は、前記往復直線移動する方向と直交する方向に間隔をおいて設けられている。
本実施の形態では、メインガイド軸２６０６とサブガイド軸２６０８は、前記仮想平面と平行する平面上を延在しており、図１に示すように、撮像装置１０の正立状態で、メインガイド軸２６０６が鉛直方向上側にサブガイド軸２６０８が鉛直方向下側に配置されている。
【００１０】
メインガイド軸２６０６は、２つの軸受部２６０２にスライド可能に挿通されている。
スライド部材２６の移動を円滑に行なわせるため、２つの軸受部２６０２とメインガイド軸２６０６の外周面との間には隙間が形成されている。
サブガイド軸２６０８は、係合部２６０４にスライド可能に係合されている。
スライド部材２６の移動を円滑に行なわせるため、係合部２６０４とサブガイド軸２６０８の外周面との間には隙間が形成されている。
図７（Ａ）は第１の実施の形態における案内機構２８の平面図、（Ｂ）は（Ａ）のＢ矢視図、（Ｃ）は（Ａ）のＣ矢視図である。
より詳細に説明すると、図７（Ｃ）に示すように、２つの軸受部２６０２は、メインガイド軸２６０６の軸方向から見てメインガイド軸２６０６の外径よりも僅かに大きな寸法の内径で形成された軸受孔２６０３を有し、スライド部材２６の移動を円滑に行なわせるための前記隙間は各軸受孔２６０３の内周面とメインガイド軸２６０６の外周面との間に形成されている。
また、係合部２６０４は、サブガイド軸２６０８の軸方向から見てコ字状に形成された凹溝２６０４Ａを有し、該凹溝２６０４Ａは、前記仮想平面と直交する方向に間隔をおいて対向しサブガイド軸２６０８の外周面を挟み該外周面に摺動可能に接触する２つの係合壁２６０４Ｂとこれら２つの係合壁２６０４Ｂを接続する底壁２６０４Ｃとで構成され、２つの係合壁２６０４Ｂとサブガイド軸２６０８の外周面との間に前記隙間が形成されている。
【００１１】
したがって、光ピックアップ２４が搭載されたスライド部材２６は、２つの軸受部２６０２がメインガイド軸２６０６に挿通されるとともに、係合部２６０４がサブガイド軸２６０８に係合された状態で、光ディスク２の半径方向に沿って案内される。すなわち、これら２つの軸受部２６０２、係合部２６０４、メインガイド軸２６０６、サブガイド軸２６０８によって、スライド部材２６および光ピックアップ２４を光ディスク２の半径方向に沿って往復直線移動可能に案内する案内機構２８が構成されている。
また、メインガイド軸２６０６はスライド部材２６が高精度に移動できるようにその形状および寸法が高精度に形成されているが、サブガイド軸２６０８は係合部２６０４が係合することでスライド部材２６がメインガイド軸２６０６を中心にして回転することを防止する作用を果たすものであり、メインガイド軸２６０６に比較してその精度は緩やかなものとなっている。
駆動機構３０は、図６に示すように、ブロック３２に取着された送りモータ３００２によって回転駆動される送りねじ３００４と、送りねじ３００４に螺合しスライド部材２６に一体的に設けられた雌ねじ部材３００６とで構成され、送りねじ３００４が正逆方向に回転されることで雌ねじ部材３００６およびスライド部材２６が動かされ上述した案内機構２８によって往復直線移動されるように構成されている。なお、駆動機構３０は本実施の形態の構成に限定されるものではなく従来公知の種々の構造によって実現可能である。
【００１２】
図３に示すように、ディスク装置２０は、ターンテーブル２２０２および光ピックアップ２４並びに壁面３２０２が左側方に臨むようにブロック３２がケース１００２に取着されることで撮像装置１０に組み込まれており、ターンテーブル２２０２および光ピックアップ２４並びに壁面３２０２が位置する箇所が、光ディスク２が装脱される光ディスク装脱部１２として構成されている。
この光ディスク装脱部１２は、ヒンジ１０１７を支点として揺動する開閉蓋１０１８により開閉されるように構成されている。
なお、図３において符号１０３０、１０３２はケース１００２に設けられメインガイド軸２６０６およびサブガイド軸２６０８部分を覆うカバーである。
【００１３】
次に、本発明の要部について詳細に説明する。
メインガイド軸２６０６は磁石に吸引される材料である磁性体で形成されている。このような磁性体としては、例えば、鉄あるいはステンレスを用いることができる。
図７（Ａ）乃至（Ｃ）に示すように、２つの軸受部２６０２には、メインガイド軸２６０６に対してメインガイド軸２６０６とサブガイド軸２６０８とを結ぶ方向に吸引力を発揮する磁石２６１０がそれぞれ埋設されている。
磁石２６１０の埋設は、スライド部材２６の成形時に埋設してもよく（インサート成形）、あるいは、軸受部２６０２に凹部を設けこの凹部内に磁石２６１０を挿入し接着剤で固定するようにしてもよい。
本実施の形態では、各磁石２６１０は、サブガイド軸２６０８と反対側に位置する軸受部２６０２の箇所にそれぞれ埋設され、メインガイド軸２６０６がブロック３２に固定されていることから、メインガイド軸２６０６に対する磁石２６１０の吸引力によりスライド部材２６をサブガイド軸２６０８方向に付勢し、サブガイド軸２６０８から離れた側に位置する軸受孔２６０３の壁面箇所２６０３Ａをメインガイド軸２６０６の外周面に接触させるように構成されている。
また、本実施の形態では、２つの磁石２６１０は永久磁石からなり互いに同一の形状および大きさの矩形板状に形成され、２つの磁石２６１０は、それらの厚さ方向の一方の面がメインガイド軸２６０６の外周面に臨んでいる。
【００１４】
次に、このように構成されたディスク装置２０の作用効果について説明する。
本実施の形態では、図９（Ａ）に示すように、２つの磁石２６１０とメインガイド軸２６０６との間に作用する吸引力により、各軸受部２６０２にはメインガイド軸２６０６とサブガイド軸２６０８とが延在する平面上において（本実施の形態では前記仮想平面と平行する平面上において）前記往復直線移動する方向と直交し、かつ、サブガイド軸２６０８に近づく方向への付勢力が作用し、サブガイド軸２６０８から離れた側に位置する軸受孔２６０３の壁面箇所２６０３Ａとメインガイド軸２６０６の外周面とが接触する。
したがって、各軸受部２６０２とメインガイド軸２６０６の間で、前記仮想平面上における、あるいは、前記仮想平面と平行する面上におけるがたつきが無い状態とされる。すなわち、スライド部材２６は、前記仮想平面上における、あるいは、前記仮想平面と平行する面上におけるがたつきが無い状態とされる。
【００１５】
したがって、ターンテーブル２２０２に光ディスク２が装着され該光ディスク２がスピンドルモータ２２によって回転駆動された記録時または再生時には、駆動機構３０によってスライド部材２６がトラッキング方向に移動され記録または再生すべき位置で停止されるが、スライド部材２６は、前記仮想平面上における、あるいは、前記仮想平面と平行する面上におけるがたつきが無い状態とされているので、光ピックアップ２４は、図９（Ａ）に示すように、トラッキング方向ＴＲの位置およびトラッキング方向ＴＲと直交するタンジェンシャル方向ＴＡの位置の双方が安定する。
このため、光ディスクの記録密度の高密度化に伴い、光ディスクの記録面に形成される光スポットの径はより小さくなっても、光ピックアップのトラッキング方向およびタンジェンシャル方向のがたつきを確実に抑制することができるので、情報の記録および再生の性能、例えばＲＦ信号のジッターなどの向上を図る上で有利となる。
また、撮像装置１０が持ち運ばれ光ピックアップ２４に種々の方向からの力が作用したとしても、光ピックアップのトラッキング方向およびタンジェンシャル方向のがたつきの双方を確実に抑制することができるので、情報の記録および再生の性能の向上を図る上で有利となる。
【００１６】
また、本実施の形態では、図１０に示すように、軸受部２６０２に作用する付勢力により軸受部２６０２の軸受孔２６０３の壁面箇所２６０３Ａがメインガイド軸２６０６の外周面に押し付けられると、壁面箇所２６０３Ａおよびメインガイド軸２６０６の外周面は共に円筒面であることから、スライド部材２６は、軸受孔２６０３の中心軸とメインガイド軸２６０６の中心軸のフォーカス方向Ｆにおける位置が一致するように付勢されることになり、ライド部材２６の前記仮想平面と直交する方向におけるがたつきの抑制も期待できる。
このため、光ピックアップ２４は、フォーカス方向の位置も安定し、情報の記録および再生の性能の向上を図る上でさらに有利となる。
また、撮像装置１０が持ち運ばれ光ピックアップ２４に種々の方向からの力が作用したとしても、光ピックアップ２４のフォーカス方向のがたつきを抑制する上で有利となり、情報の記録および再生の性能の向上を図る上でさらに有利となる。
【００１７】
（第２の実施の形態）
次に本発明の第２の実施の形態について図面を参照して説明する。
図８（Ａ）は第２の実施の形態における案内機構２８の平面図、（Ｂ）は（Ａ）のＢ矢視図、（Ｃ）は（Ａ）のＣ矢視図である。なお、以下の実施の形態では、第１の実施の形態と同様の部分、部品については同一の符号を付して説明する。
第２の実施の形態が第１の実施の形態と異なるのは、磁石２６１０が設けられている位置であり、その他は第１の実施の形態と同様である。
図８（Ａ）乃至（Ｃ）に示すように、第１の実施の形態と同様に、２つの軸受部２６０２には、メインガイド軸２６０６に対してメインガイド軸２６０６とサブガイド軸２６０８とを結ぶ方向に吸引力を発揮する磁石２６１０がそれぞれ埋設されている。
第２の実施の形態では、各磁石２６１０は、サブガイド軸２６０８側に位置する軸受部２６０２の箇所にそれぞれ埋設され、メインガイド軸２６０６がブロック３２に固定されていることから、メインガイド軸２６０６に対する磁石２６１０の吸引力によりスライド部材２６をサブガイド軸２６０８と反対方向に付勢し、サブガイド軸２６０８側に位置する軸受孔２６０３の壁面箇所２６０３Ａをメインガイド軸２６０６の外周面に接触させるように構成されている。
【００１８】
次に、このように構成されたディスク装置２０の作用効果について説明する。
第２の実施の形態では、図９（Ｂ）に示すように、２つの磁石２６１０とメインガイド軸２６０６との間に作用する吸引力により、各軸受部２６０２にはメインガイド軸２６０６とサブガイド軸２６０８とが延在する平面上において（本実施の形態では前記仮想平面と平行する平面上において）前記往復直線移動する方向と直交し、かつ、サブガイド軸２６０８から離れる方向への付勢力が作用し、サブガイド軸２６０８側に位置する軸受孔２６０３の壁面箇所２６０３Ａとメインガイド軸２６０６の外周面とが接触する。
そのため、各軸受部２６０２とメインガイド軸２６０６の間で、前記仮想平面上における、あるいは、前記仮想平面と平行する面上におけるがたつきが無い状態とされる。すなわち、スライド部材２６は、前記仮想平面上における、あるいは、前記仮想平面と平行する面上におけるがたつきが無い状態とされる。
したがって、光ピックアップ２４は、図９（Ｂ）に示すように、トラッキング方向ＴＲの位置およびトラッキング方向ＴＲと直交するタンジェンシャル方向ＴＡの位置の双方が安定する。
このため、第１の実施の形態と同様に情報の記録および再生の性能の向上を図る上有利となる。
また、第２の実施の形態においても、図１０で示した第１の実施の形態の場合と同様に、軸受部２６０２に作用する付勢力によりスライド部材２６の前記仮想平面と直交する方向におけるがたつきの抑制も期待でき、情報の記録および再生の性能の向上を図る上でさらに有利となる。
【００１９】
（第３の実施の形態）
次に本発明の第３の実施の形態について図面を参照して説明する。
図１１（Ａ）は第３の実施の形態における案内機構２８の平面図、（Ｂ）は（Ａ）のＢ矢視図、（Ｃ）は（Ａ）のＣ矢視図である。
第３の実施の形態が第１、第２の実施の形態と異なるのは、磁石２６１０が設けられている位置であり、その他は第１、第２の実施の形態と同様である。
図１１（Ａ）乃至（Ｃ）に示すように、第１の実施の形態と同様に、２つの軸受部２６０２には、メインガイド軸２６０６に対してメインガイド軸２６０６とサブガイド軸２６０８とを結ぶ方向に吸引力を発揮する磁石２６１０がそれぞれ埋設されている。
第３の実施の形態では、２つの軸受部２６０２のうち、一方の軸受部２６０２において、磁石２６１０Ａは、サブガイド軸２６０８側に位置する軸受部２６０２の箇所に埋設され、他方の軸受部２６０２において、磁石２６１０Ｂは、サブガイド軸２６０８と反対側に位置する軸受部２６０２の箇所に埋設されている。
そして、メインガイド軸２６０６がブロック３２に固定されていることから、メインガイド軸２６０６に対する一方の軸受部２６０２の磁石２６１０Ａの吸引力によりスライド部材２６をサブガイド軸２６０８と反対方向に付勢し、メインガイド軸２６０６に対する他方の軸受部２６０２の磁石２６１０Ｂの吸引力によりスライド部材２６をサブガイド軸２６０８方向に付勢させている。
これにより、一方の軸受部２６０２はサブガイド軸２６０８側に位置する軸受孔２６０３の壁面箇所２６０３Ａをメインガイド軸２６０６に接触させ、他方の軸受部２６０２はサブガイド軸２６０８と反対側に位置する軸受孔２６０３の壁面箇所２６０３Ｂをメインガイド軸２６０６に接触させている。
【００２０】
次に、このように構成されたディスク装置２０の作用効果について説明する。
第３の実施の形態では、図１３（Ａ）に示すように、２つの磁石２６１０とメインガイド軸２６０６との間に作用する吸引力により、各軸受部２６０２にはメインガイド軸２６０６とサブガイド軸２６０８とが延在する平面上において（本実施の形態では前記仮想平面と平行する平面上において）前記往復直線移動する方向と直交し、かつ、サブガイド軸２６０８から離れる方向および近づく方向への付勢力がそれぞれ作用し、一方の軸受部２６０２ではサブガイド軸２６０８側に位置する軸受孔２６０３の壁面箇所２６０３Ａとメインガイド軸２６０６の外周面とが接触し、他方の軸受部２６０２ではサブガイド軸２６０８と反対側に位置する軸受孔２６０３の壁面箇所２６０３Ｂとメインガイド軸２６０６の外周面とが接触する。
そのため、各軸受部２６０２とメインガイド軸２６０６の間で、前記仮想平面上における、あるいは、前記仮想平面と平行する面上におけるがたつきが無い状態とされる。すなわち、スライド部材２６は、前記仮想平面上における、あるいは、前記仮想平面と平行する面上におけるがたつきが無い状態とされる。
したがって、光ピックアップ２４は、図１３（Ａ）に示すように、トラッキング方向ＴＲの位置およびトラッキング方向ＴＲと直交するタンジェンシャル方向ＴＡの位置の双方が安定する。
このため、第１の実施の形態と同様に情報の記録および再生の性能の向上を図る上有利となる。
【００２１】
（第４の実施の形態）
次に本発明の第４の実施の形態について図面を参照して説明する。
図１２（Ａ）は第４の実施の形態における案内機構２８の平面図、（Ｂ）は（Ａ）のＢ矢視図、（Ｃ）は（Ａ）のＣ矢視図である。
第４の実施の形態が第３の実施の形態と異なるのは、２つの磁石２６１０Ａ、２６１０Ｂが前記往復直線移動する方向において第３の実施の形態の場合とそれぞれ入れ替わっている点であり、その他は第３の実施の形態と同様である。
したがって、第４の実施の形態においても第３の実施の形態と同様に、図１３（Ｂ）に示すように、各軸受部２６０２とメインガイド軸２６０６の間で、前記仮想平面上における、あるいは、前記仮想平面と平行する面上におけるがたつきが無い状態とされる。すなわち、スライド部材２６は、前記仮想平面上における、あるいは、前記仮想平面と平行する面上におけるがたつきが無い状態とされ、これにより第３の実施の形態と同様の作用効果が奏される。
【００２２】
（第５の実施の形態）
次に本発明の第５の実施の形態について図面を参照して説明する。
図１４（Ａ）は第４の実施の形態における案内機構２８の平面図、（Ｂ）は（Ａ）のＢ矢視図、（Ｃ）は（Ａ）のＣ矢視図である。
第５の実施の形態が第１乃至第４の実施の形態と異なるのは、２つの軸受部２６０２にそれぞれ磁石２６１０を設けることに加えて、係合部２６０４にも磁石２６２０を設けた点であり、その他は第１乃至第４の実施の形態と同様である。
サブガイド軸２６０８は磁石に吸引される材料である磁性体で形成されている。このような磁性体としては、例えば、鉄あるいはステンレスを用いることができる。
２つの係合壁２６０４Ｂの一方に、サブガイド軸２６０８に対して前記仮想平面と直交する方向に吸引力を発揮する磁石２６２０が埋設されている。
磁石２６２０の埋設は、スライド部材２６の成形時に埋設してもよく（インサート成形）、あるいは、係合壁２６０４Ｂに凹部を設けこの凹部内に磁石２６２０を挿入し接着剤で固定するようにしてもよい。
本実施の形態では、磁石２６２０は、前記仮想平面と直交する方向で光ディスク２と離れた側に位置する係合壁２６０４Ｂに埋設され、サブガイド軸２６０８がブロック３２に固定されていることから、図１６（Ａ）に示すように、サブガイド軸２６０８に対する磁石２６２０の吸引力によりスライド部材２６を前記仮想平面と直交する方向でサブガイド軸２６０８方向に付勢し、光ディスク２から離れた側に位置する係合壁２６０４Ｂの壁面箇所２６０４Ｄをサブガイド軸２６０８の外周面に接触させるように構成されている。
また、本実施の形態では、磁石２６２０は永久磁石からなり矩形板状に形成され、磁石２６２０は、厚さ方向の一方の面がサブガイド軸２６０８の外周面に臨んでいる。
【００２３】
次に、このように構成されたディスク装置２０の作用効果について説明する。
本実施の形態では、第１乃至第４の実施の形態の場合と同様に、２つの磁石２６１０とメインガイド軸２６０６との間に作用する吸引力により、スライド部材２６は、前記仮想平面上における、あるいは、前記仮想平面と平行する面上におけるがたつきが無い状態とされる。
さらに、図１６(Ａ)に示すように、磁石２６２０とサブガイド軸２６０８との間に作用する吸引力により、係合部２６０４には、前記仮想平面と直交する方向で光ディスク２に近づく方向への付勢力が作用し、光ディスク２から離れた側に位置する係合壁２６０４Ｂの壁面箇所２６０４Ｄとサブガイド軸２６０８の外周面とが接触する。
したがって、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされる。
【００２４】
したがって、本実施の形態によれば、ターンテーブル２２０２に光ディスク２が装着され該光ディスク２がスピンドルモータ２２によって回転駆動された記録時または再生時には、駆動機構３０によってスライド部材２６がトラッキング方向に移動され記録または再生すべき位置で停止され、光ピックアップ２４は、トラッキング方向ＴＲの位置およびトラッキング方向ＴＲと直交するタンジェンシャル方向ＴＡの位置の双方が安定することは無論のこと、スライド部材２６は、前記仮想平面と直交する方向におけるがたつきが無い状態とされているので、光ピックアップ２４は、図１６（Ａ）に示すように、フォーカス方向Ｆの位置も安定する。
このため、光ディスクの記録密度の高密度化に伴い、光ディスクの記録面に形成される光スポットの径はより小さくなっても、光ピックアップのトラッキング方向およびタンジェンシャル方向のがたつきを確実に抑制することに加えて、フォーカス方向のがたつきを確実に抑制できるので、情報の記録および再生の性能、例えばＲＦ信号のジッターなどの向上を図る上でより有利となる。
また、撮像装置１０が持ち運ばれ光ピックアップ２４に種々の方向からの力が作用したとしても、光ピックアップのトラッキング方向およびタンジェンシャル方向のがたつきの双方を確実に抑制することに加えてフォーカス方向のがたつきを確実に抑制できるので、情報の記録および再生の性能の向上を図る上でより有利となる。
【００２５】
（第６の実施の形態）
次に本発明の第６の実施の形態について図面を参照して説明する。
図１５（Ａ）は第５の実施の形態における案内機構２８の平面図、（Ｂ）は（Ａ）のＢ矢視図、（Ｃ）は（Ａ）のＣ矢視図である。
第６の実施の形態が第５の実施の形態と異なるのは、係合部２６０４に設けられる磁石２６２０の位置であり、磁石２６２０は、前記仮想平面と直交する方向で光ディスク２側に位置する係合壁２６０４Ｂに埋設されており、その他は第５の実施の形態と同様である。
図１５（Ａ）乃至（Ｃ）に示すように、サブガイド軸２６０８がブロック３２に固定されていることから、図１６（Ｂ）に示すように、サブガイド軸２６０８に対する磁石２６２０の吸引力によりスライド部材２６を前記仮想平面と直交する方向でサブガイド軸２６０８から離れる方向に付勢し、光ディスク２側に位置する係合壁２６０４Ｂの壁面箇所２６０４Ｄをサブガイド軸２６０８の外周面に接触させるように構成されている。
したがって、第６の実施の形態においても第５の実施の形態と同様に、図１６（Ｂ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第５の実施の形態と同様の作用効果が奏される。
【００２６】
（第７の実施の形態）
次に本発明の第７の実施の形態について図面を参照して説明する。
図１７（Ａ）は第７の実施の形態における案内機構２８の平面図、（Ｂ）は（Ａ）のＢ矢視図、（Ｃ）は（Ａ）のＣ矢視図である。
第７の実施の形態が第５の実施の形態と異なるのは、２つの軸受部２６０２に設けられている磁石２６１０の位置であり、この磁石２６１０の位置は第２の実施の形態と同様で、各磁石２６１０はサブガイド軸２６０８側に位置する軸受部２６０２の箇所にそれぞれ埋設され、その他は第５の実施の形態と同様である。
したがって、第７の実施の形態においても、図１６（Ａ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第５の実施の形態と同様の作用効果が奏される。
【００２７】
（第８の実施の形態）
次に本発明の第８の実施の形態について図面を参照して説明する。
図１８（Ａ）は第８の実施の形態における案内機構２８の平面図、（Ｂ）は（Ａ）のＢ矢視図、（Ｃ）は（Ａ）のＣ矢視図である。
第８の実施の形態が第６の実施の形態と異なるのは、２つの軸受部２６０２に設けられている磁石２６１０の位置であり、各磁石２６１０は、サブガイド軸２６０８側に位置する軸受部２６０２の箇所にそれぞれ埋設され、その他は第６の実施の形態と同様である。
したがって、第８の実施の形態においても、図１６（Ｂ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第６の実施の形態と同様の作用効果が奏される。
【００２８】
（第９の実施の形態）
次に本発明の第９の実施の形態について図面を参照して説明する。
図１９（Ａ）は第９の実施の形態における案内機構２８の平面図、（Ｂ）は（Ａ）のＢ矢視図、（Ｃ）は（Ａ）のＣ矢視図である。
第９の実施の形態が第５の実施の形態と異なるのは、２つの軸受部２６０２に設けられている磁石２６１０の位置であり、２つの軸受部２６０２のうち一方の軸受部２６０２において、磁石２６１０Ａは、サブガイド軸２６０８側に位置する軸受部２６０２の箇所に埋設され、他方の軸受部２６０２において、磁石２６１０Ｂは、サブガイド軸２６０８と反対側に位置する軸受部２６０２の箇所に埋設され、その他は第５の実施の形態と同様である。
したがって、第９の実施の形態においても、図１６（Ａ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第５の実施の形態と同様の作用効果が奏される。
【００２９】
（第１０の実施の形態）
次に本発明の第１０の実施の形態について図面を参照して説明する。
図２０（Ａ）は第１０の実施の形態における案内機構２８の平面図、（Ｂ）は（Ａ）のＢ矢視図、（Ｃ）は（Ａ）のＣ矢視図である。
第１０の実施の形態が第６の実施の形態と異なるのは、２つの軸受部２６０２に設けられている磁石２６１０の位置であり、２つの軸受部２６０２のうち一方の軸受部２６０２において、磁石２６１０Ａは、サブガイド軸２６０８側に位置する軸受部２６０２の箇所に埋設され、他方の軸受部２６０２において、磁石２６１０Ｂは、サブガイド軸２６０８と反対側に位置する軸受部２６０２の箇所に埋設され、その他は第６の実施の形態と同様である。
したがって、第１０の実施の形態においても、図１６（Ｂ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第６の実施の形態と同様の作用効果が奏される。
【００３０】
（第１１の実施の形態）
次に本発明の第１１の実施の形態について図面を参照して説明する。
図２１（Ａ）は第１１の実施の形態における案内機構２８の平面図、（Ｂ）は（Ａ）のＢ矢視図、（Ｃ）は（Ａ）のＣ矢視図である。
第１１の実施の形態が第９の実施の形態と異なるのは、２つの磁石２６１０Ａ、２６１０Ｂが前記往復直線移動する方向において第９の実施の形態の場合とそれぞれ入れ替わっている点であり、その他は第９の実施の形態と同様である。
したがって、第１１の実施の形態においても、図１６（Ａ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第９の実施の形態と同様の作用効果が奏される。
【００３１】
（第１２の実施の形態）
次に本発明の第１２の実施の形態について図面を参照して説明する。
図２２（Ａ）は第１２の実施の形態における案内機構２８の平面図、（Ｂ）は（Ａ）のＢ矢視図、（Ｃ）は（Ａ）のＣ矢視図である。
第１２の実施の形態が第１０の実施の形態と異なるのは、２つの磁石２６１０Ａ、２６１０Ｂが前記往復直線移動する方向において第１０の実施の形態の場合とそれぞれ入れ替わっている点であり、その他は第１０の実施の形態と同様である。
したがって、第１２の実施の形態においても、図１６（Ｂ）に示すように、係合部２６０４とサブガイド軸２６０８の間で、前記仮想平面と直交する方向におけるがたつきが無い状態とされる。すなわち、スライド部材２６は、前記仮想平面と直交する方向におけるがたつきが無い状態とされ、これにより第１０の実施の形態と同様の作用効果が奏される。
【００３２】
なお、各実施の形態では、ディスク装置を撮像装置に組み込んだ例を示したが、本発明のディスク装置はこれに限定されるものではなく、例えばノート型パーソナルコンピュータなどに組み込まれるものであっても、あるいは、ディスク装置単体で使用されるものであってもよいことはいうまでもない。
また、各実施の形態では、軸受部が２つ設けられ、係合部が１つ設けられて板場合に付いて説明したが、軸受部は１つであってもよく、あるいは、３つ以上であってもよく、係合部は２つ以上であってもよい。
また、各実施の形態では、ディスク状記録媒体として光ディスクを用いるディスク装置について示したが、本発明はディスク状記録媒体として光磁気ディスク、磁気ディスクを用いるディスク装置に広く適用可能である。
【図面の簡単な説明】
【００３３】
【図１】第１の実施の形態のディスク装置が組み込まれた撮像装置を斜め前方から見た斜視図である。
【図２】図１の撮像装置を斜め後方から見た斜視図である。
【図３】図１の撮像装置の開閉蓋が開放された状態を示す斜視図である。
【図４】光ディスク２が装着された状態のディスク装置２０の斜視図である。
【図５】ディスク装置２０の平面図である。
【図６】ディスク装置２０の底面図である。
【図７】（Ａ）は第１の実施の形態における案内機構２８の平面図、（Ｂ）は（Ａ）のＢ矢視図、（Ｃ）は（Ａ）のＣ矢視図である。
【図８】（Ａ）は第２の実施の形態における案内機構２８の平面図、（Ｂ）は（Ａ）のＢ矢視図、（Ｃ）は（Ａ）のＣ矢視図である。
【図９】（Ａ）、（Ｂ）はスライド部材２６とメインガイド軸２６０６との位置関係を示す説明図である。
【図１０】壁面箇所２６０３Ａとメインガイド軸２６０６との位置関係を示す説明図である。
【図１１】（Ａ）は第３の実施の形態における案内機構２８の平面図、（Ｂ）は（Ａ）のＢ矢視図、（Ｃ）は（Ａ）のＣ矢視図である。
【図１２】（Ａ）は第４の実施の形態における案内機構２８の平面図、（Ｂ）は（Ａ）のＢ矢視図、（Ｃ）は（Ａ）のＣ矢視図である。
【図１３】（Ａ）、（Ｂ）はスライド部材２６とメインガイド軸２６０６との位置関係を示す説明図である。
【図１４】（Ａ）は第４の実施の形態における案内機構２８の平面図、（Ｂ）は（Ａ）のＢ矢視図、（Ｃ）は（Ａ）のＣ矢視図である。
【図１５】（Ａ）は第５の実施の形態における案内機構２８の平面図、（Ｂ）は（Ａ）のＢ矢視図、（Ｃ）は（Ａ）のＣ矢視図である。
【図１６】（Ａ）、（Ｂ）はスライド部材２６とサブガイド軸２６０８との位置関係を示す説明図である。
【図１７】（Ａ）は第７の実施の形態における案内機構２８の平面図、（Ｂ）は（Ａ）のＢ矢視図、（Ｃ）は（Ａ）のＣ矢視図である。
【図１８】（Ａ）は第８の実施の形態における案内機構２８の平面図、（Ｂ）は（Ａ）のＢ矢視図、（Ｃ）は（Ａ）のＣ矢視図である。
【図１９】（Ａ）は第９の実施の形態における案内機構２８の平面図、（Ｂ）は（Ａ）のＢ矢視図、（Ｃ）は（Ａ）のＣ矢視図である。
【図２０】（Ａ）は第１０の実施の形態における案内機構２８の平面図、（Ｂ）は（Ａ）のＢ矢視図、（Ｃ）は（Ａ）のＣ矢視図である。
【図２１】（Ａ）は第１１の実施の形態における案内機構２８の平面図、（Ｂ）は（Ａ）のＢ矢視図、（Ｃ）は（Ａ）のＣ矢視図である。
【図２２】（Ａ）は第１２の実施の形態における案内機構２８の平面図、（Ｂ）は（Ａ）のＢ矢視図、（Ｃ）は（Ａ）のＣ矢視図である。
【符号の説明】
【００３４】
２……光ディスク、２０……ディスク装置、２４……光ピックアップ、２６……スライド部材、２８……案内機構、３２……ブロック、３０……駆動機構、３４……付勢部材、２６０２……軸受部、２６０４……係合部、２６０６……メインガイド軸、２６０８……サブガイド軸、２６１０……磁石。
【図１】
2007052867.tif 000003
【図２】
2007052867.tif 000004
【図３】
2007052867.tif 000005
【図４】
2007052867.tif 000006
【図５】
2007052867.tif 000007
【図６】
2007052867.tif 000008
【図７】
2007052867.tif 000009
【図８】
2007052867.tif 000010
【図９】
2007052867.tif 000011
【図１０】
2007052867.tif 000012
【図１１】
2007052867.tif 000013
【図１２】
2007052867.tif 000014
【図１３】
2007052867.tif 000015
【図１４】
2007052867.tif 000016
【図１５】
2007052867.tif 000017
【図１６】
2007052867.tif 000018
【図１７】
2007052867.tif 000019
【図１８】
2007052867.tif 000020
【図１９】
2007052867.tif 000021
【図２０】
2007052867.tif 000022
【図２１】
2007052867.tif 000023
【図２２】
2007052867.tif 000024